【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
システム外部との入出力ポートとは独立した、他のＡＶサーバと接続するためのＩＰ（Internet Protocol）入出力ポートを有する複数のＡＶサーバと、
上記複数のＡＶサーバをコントロールするクライアントコントローラと、
上記複数のＡＶサーバに記録されているＡＶクリップデータおよび上記複数のＡＶサーバに入力するＡＶクリップデータに関する情報を記憶しているマネージャと、
上記複数のＡＶサーバのフレーム同期をとるフレーム同期部を備える
ＡＶサーバシステム。
【請求項２】
上記ＡＶサーバは、
上記ＩＰ入出力ポートから所定数のフレーム周期で予め決められたフレーム分の圧縮ＡＶクリップデータを出力する
請求項１に記載のＡＶサーバシステム。
【請求項３】
上記ＡＶサーバは、
上記ＩＰ入出力ポートから１フレーム周期で１フレーム分の圧縮ＡＶクリップデータを出力する
請求項１に記載のＡＶサーバシステム。
【請求項４】
上記ＡＶサーバは、
上記ＩＰ入出力ポートに所定数のフレーム周期で入力された圧縮ＡＶクリップデータを予め決められたフレーム分の圧縮ＡＶクリップデータとして処理する
請求項１に記載のＡＶサーバシステム。
【請求項５】
上記ＡＶサーバは、
上記ＩＰ入出力ポートに１フレーム周期で入力された圧縮ＡＶクリップデータを１フレーム分の圧縮ＡＶクリップデータとして処理する
請求項１に記載のＡＶサーバシステム。
【請求項６】
上記ＡＶサーバは、
上記ＩＰ入出力ポートにフレーム開始時点から１フレーム以下の期間で入力された圧縮ＡＶクリップデータを１フレーム分の圧縮ＡＶクリップデータとして処理する
請求項１に記載のＡＶサーバシステム。
【請求項７】
上記ＡＶサーバは、
上記入力された圧縮ＡＶクリップデータから、不足する圧縮ＡＶクリップデータを前方誤り訂正により再現する
請求項６に記載のＡＶサーバシステム。
【請求項８】
上記ＡＶサーバは、
上記ＩＰ入出力ポートに、通常ビデオデータに対応する圧縮ＡＶクリップデータまたは単板カメラによるＲＡＷデータに対応する圧縮ＡＶクリップデータを出力する
請求項１から７のいずれかに記載のＡＶサーバシステム。
【請求項９】
上記ＲＡＷデータに対応する圧縮ＡＶクリップデータには、デモザイク処理のためのメタデータが付加される
請求項８に記載のＡＶサーバシステム。
【請求項１０】
上記ＡＶサーバは、
上記ＩＰ入出力ポートに入力される圧縮ＡＶクリップデータにデコード処理を施し非圧縮のＡＶクリップデータを得るデコード部を有し、
上記デコード部における遅延時間は、上記入力される圧縮ＡＶクリップデータの圧縮データフォーマットに依らずに、一定である
請求項１から９のいずれかに記載のＡＶサーバシステム。
【請求項１１】
上記ＡＶサーバは、
上記ＩＰ入出力ポートの総ポート数のうち、入力ポート数と出力ポート数とを任意に変更可能である
請求項１から１０のいずれかに記載のＡＶサーバシステム。
【請求項１２】
他のＡＶサーバと接続するためのＩＰ（Internet Protocol）入出力ポートを備える
ＡＶサーバ。
【請求項１３】
上記ＩＰ入出力ポートから所定数のフレーム周期で予め決められたフレーム分の圧縮ＡＶクリップデータを出力する
請求項１２に記載のＡＶサーバ
【請求項１４】
上記ＩＰ入出力ポートに所定数のフレーム周期で入力された圧縮ＡＶクリップデータを予め決められたフレーム分の圧縮ＡＶクリップデータとして処理する
請求項１２に記載のＡＶサーバ。
【請求項１５】
上記ＩＰ入出力ポートに、通常ビデオデータに対応する圧縮ＡＶクリップデータまたは単板カメラによるＲＡＷデータに対応する圧縮ＡＶクリップデータを出力する
請求項１２から１４のいずれかに記載のＡＶサーバ。
【請求項１６】
上記ＩＰ入出力ポートに入力される圧縮ＡＶクリップデータにデコード処理を施し非圧縮のＡＶクリップデータを得るデコード部を有し、
上記デコード部における遅延時間は、上記入力される圧縮ＡＶクリップデータの圧縮データフォーマットに依らずに、一定である
請求項１２から１５のいずれかに記載のＡＶサーバ。
【請求項１７】
上記ＩＰ入出力ポートの総ポート数のうち、入力ポート数と出力ポート数とを任意に変更可能である
請求項１２から１６のいずれかに記載のＡＶサーバ。
【請求項１８】
システム外部との入出力ポートとは独立した、他のＡＶサーバと接続するためのＩＰ（Internet Protocol）入出力ポートを有する複数のＡＶサーバと、
上記複数のＡＶサーバをコントロールするクライアントコントローラと、
上記複数のＡＶサーバに記録されているＡＶクリップデータおよび上記複数のＡＶサーバに入力するＡＶクリップデータに関する情報を記憶しているマネージャを備え、
上記ＡＶサーバは、
上記ＩＰ入出力ポートから所定数のフレーム周期で予め決められたフレーム分の圧縮ＡＶクリップデータを出力する
ＡＶサーバシステム。
【請求項１９】
上記ＡＶサーバは、
単板カメラから入力されるハイフレームレートのＲＡＷデータに圧縮符号化処理を行って得られた第１のＡＶクリップデータを、デモザイク処理を行うためのメタデータを付加した状態でストレージに記録する第１の記録部を有する
請求項１８に記載のＡＶサーバシステム。
【請求項２０】
上記ＡＶサーバは、
上記単板カメラから入力されるハイフレームレートのＲＡＷデータを通常フレームレートのＲＡＷデータに変換した後にデモザイク処理を行って通常フレームレートの通常ビデオデータを得、該通常ビデオデータに圧縮符号化処理を行って得られた第２のＡＶクリップデータを上記ストレージに記録する第２の記録部をさらに有する
請求項１９に記載のＡＶサーバシステム。
【手続補正２】
【補正対象書類名】明細書
【補正対象項目名】００１７
【補正方法】変更
【補正の内容】
【００１７】
【図１】実施の形態としてのＡＶサーバシステムの構成例を示すブロック図である。
【図２】ＡＶサーバの構成例を示すブロック図である。
【図３】デコーダの構成例を示すブロック図である。
【図４】ＡＶサーバ間でデータ伝送をする場合のデータの流れを説明するための図である。
【図５】ＡＶサーバの特殊な構成例を示すブロック図である。
【図６】プレイリスト再生時のクリップつなぎを行なうためのＡＶサーバの構成例を示すブロック図である。
【図７】デコーダの他の構成例を示すブロック図である。
【図８】ＡＶサーバの他の構成例を示すブロック図である。
【図９】ＡＶサーバとサーバ間ネットワークを構成するＩＰスイッチとの接続を示す図である。
【図１０】クライアントコントローラにおけるプレイリスト作成画面例を示す図である。
【図１１】ＡＶサーバのＩＯポートのＩＮ/ＯＵＴを動的に変更する例を示す図である。
【図１２】プレイリスト再生の一例を説明するための図である。
【手続補正３】
【補正対象書類名】明細書
【補正対象項目名】００３９
【補正方法】変更
【補正の内容】
【００３９】
ファイル共有再生時には、“Ｂ”のＡＶサーバ１００のストレージ１０３から読み出された圧縮ＡＶクリップデータはバンク１０８に読み出され、ＩＰ出力部（ＩＰ出力ポート）１０５を通じてサーバ間ネットワーク（ＩＰスイッチ）５００に出力される。そして、サーバ間ネットワーク（ＩＰスイッチ）５００から“Ａ”のＡＶサーバ１００のＩＰ入力部（ＩＰ入力ポート）１０６に入力され、デコーダ１０４で伸長された後、フレームバッファ１０７を経由して、ＳＤＩｏｕｔに出力される。上述の単体動作の再生時とは、途中にサーバ間ネットワーク５００が介在されるだけで、他が変わらない。従って、ＪＯＧ/ＳＨＵＴＴＬＥ/変速再生も基本的に動作は単体動作と変わらず、違いは途中にサーバ間ネットワーク５００が介在されるだけである。
【手続補正４】
【補正対象書類名】明細書
【補正対象項目名】００４５
【補正方法】変更
【補正の内容】
【００４５】
図５は、ＡＶサーバ１００の特殊な構成例を示している。この図５において、図２と対応する部分には、同一符号を付し、適宜、その詳細説明は省略する。このＡＶサーバ１００は、システムカメラの後段に接続するベースバンド・プロセッサ・ユニット（ＢＰＵ：Baseband Processor Unit）である。ＢＰＵは、通常、単板カメラによるＲＡＷデータをデモザイクして通常のビデオデータに変換したり、ＨＦＲ（High Frame Rate）カメラによる高速撮像データをストレージして、スロー再生したりするのに使われる。なお、図示においては、システムカメラ運用時のためのリターンビデオ入力については、省略している。なお、３板カメラが接続されていれば、外部から入力されるＡＶクリップデータは通常のビデオデータであるため、図２のＡＶサーバ１００と同じ動作となる。
【手続補正５】
【補正対象書類名】明細書
【補正対象項目名】００４９
【補正方法】変更
【補正の内容】
【００４９】
図６は、プレイリスト再生時のクリップつなぎを行なうためのＡＶサーバ１００の構成例を示している。この図６において、図２と対応する部分には、同一符号を付し、その詳細説明は省略する。図示の例においては、２系統のデコーダ１０４ａ，１０４ｂと、２系統のＩＰ入力部（ＩＰ入力ポート）１０６ａ，１０６ｂと、エフェクタ１１０を有している。なお、この図６においては、システムコントローラ１０１の図示は省略している。
【手続補正６】
【補正対象書類名】明細書
【補正対象項目名】００５３
【補正方法】変更
【補正の内容】
【００５３】
なお、このペイント情報としては、ホワイトバランスの設定情報、ホワイトバランスのオフセットの設定情報、ブラックの設定情報、フレア補正の設定情報、ゲインの設定情報、電子シャッターの動作条件の設定情報、スローシャッターの設定情報、アイリスの制御設定情報、スロー＆クイックモーションの設定情報、フリッカー補正の設定情報、ガンマ補正の設定情報、ブラックガンマの設定情報、ニー補正の設定情報、ホワイトクリップの設定情報、ディテール調整の設定情報、アパーチャー補正の設定情報、スキンディテール補正の設定情報、マトリックス補正の設定情報、マルチマトリックス補正の設定情報、等があり、カメラから供給され、ＲＡＷデータに付加された状態でストレージ１０３に格納される。
【手続補正７】
【補正対象書類名】明細書
【補正対象項目名】００６５
【補正方法】変更
【補正の内容】
【００６５】
この場合、ＡＶサーバ１００は、フレーム開始時点から１フレーム以下の期間、例えば０．５フレームの期間で入力された圧縮ＡＶクリップデータを１フレーム分の圧縮ＡＶクリップデータとして処理する。これにより、ＪＯＧ/ＳＨＵＴＴＬＥのレスポンスを高めることが可能となる。なお、この場合、期間を短くするほどレスポンスを高めることが可能となるが、その分だけＩＰパケットの未受信の個数が増加する。ＩＰパケットの未受信のために不足する圧縮ＡＶクリップデータは、前方誤り訂正（ＦＥＣ：Forward Error Correction）処理により再現される。
【手続補正８】
【補正対象書類名】明細書
【補正対象項目名】００８４
【補正方法】変更
【補正の内容】
【００８４】
例えば、図示の例において、クリップ名称Ａのクリップに関して、図示のように、“Ａ”と書かれた長方形と、開始サムネイル、終了サムネイルが表示されている。図示の例においては、クリップ名称Ａのクリップの指定に続き、クリップ名称Ｂのクリップ、クリップ名称Ｃのクリップ、クリップ名称Ｂのクリップが指定された場合の例を示している。なお、二度目のクリップ名称Ｂのクリップの指定に対応した長方形には、“Ｂ´”と書いている。図示の例は、Ａ→Ｂ→Ｃ→Ｂ‘と再生が続くことがプレイリストとして定義されたものである。
【手続補正９】
【補正対象書類名】明細書
【補正対象項目名】００９５
【補正方法】変更
【補正の内容】
【００９５】
すなわち、デバイス予約に関しては、
ＡＶサーバ１００-1のサーバ間ネットワーク出力ポートをｔ１からｔ５まで、
ＡＶサーバ１００-2のサーバ間ネットワーク出力ポートをｔ３からｔ７まで、
ＡＶサーバ１００-3のサーバ間ネットワーク出力ポートの１個をｔ１からｔ５まで、
ＡＶサーバ１００-3のサーバ間ネットワーク出力ポートの１個をｔ３からｔ７まで、
ＡＶサーバ１００-3の外部への出力ポートをｔ２からｔ７まで、
（その他、サーバ内部の必要なデコーダ等)
を予約する。
【手続補正１０】
【補正対象書類名】図面
【補正対象項目名】図４
【補正方法】変更
【補正の内容】
【図４】
2017055378.tif 000001